(57)【要約】【課題】倒れても内容物が飛び出しにくく、手提げ袋の交換だけで衛生状態が保たれる袋入容器を提供する。【解決手段】天面に開口部を有する段ボール製の箱体Ａと、その開口部から箱体Ａに挿入されるプラスチックフィルム製の手提げ袋Ｂとから成る袋入容器において、箱体Ａの天面に、開口部８を取り囲む鍔板３を側壁２，１０の上端から内側へ向けて設け、隣接する側壁２，１０の稜部に係止切込９を形成し、箱体Ａに挿入した手提げ袋Ｂを鍔板３に巻き付けるように被せ、箱体Ａの対角位置にある係止切込９に手提げ袋Ｂの両側の持ち手１１をそれぞれ引っ掛けるようにする。【選択図】図２
2006103753.tif 000002
【特許請求の範囲】
【請求項１】
天面に開口部を有する段ボール製の箱体と、その開口部から箱体に挿入されるプラスチックフィルム製の手提げ袋とから成る袋入容器において、箱体の天面に、開口部を取り囲む鍔板を側壁上端から内側へ向けて設け、隣接する側壁の稜部又は底角部に係止切込を形成し、箱体に挿入した手提げ袋を鍔板に巻き付けるように被せ、箱体の係止切込に手提げ袋の持ち手を引っ掛けるようにしたことを特徴とする袋入容器。
【発明の詳細な説明】
【技術分野】
【０００１】
この発明は、廃棄物を投入したり、液体を入れたりする袋入容器に関するものである。
【背景技術】
【０００２】
例えば、下記特許文献１には、天面が開口した箱体の一対の側壁に把手穴を設け、把手穴の上縁及び側壁の上縁に切込を入れ、天面の開口部から箱体にプラスチックフィルム製の手提げ袋を挿入し、その持ち手を外側へ折り返して、切込に引っ掛けるようにした袋入容器が記載されている。
【０００３】
【特許文献１】特開２００４−３５２０１号公報
【発明の開示】
【発明が解決しようとする課題】
【０００４】
しかしながら、上記のような袋入容器では、ゴミ箱として使用する場合、箱体が倒れると、手提げ袋からゴミが飛び出しやすく、また、手提げ袋が被さらない箱体の側壁と袋の間にゴミが嵌まり込んだり、箱体の上部が汚れたりすることがあり、手提げ袋を交換しても衛生状態が保たれないという問題がある。
【０００５】
そこで、この発明は、倒れても内容物が飛び出しにくく、手提げ袋の交換だけで衛生状態が保たれる袋入容器を提供することを課題とする。
【課題を解決するための手段】
【０００６】
上記課題を解決するため、この発明は、天面に開口部を有する段ボール製の箱体と、その開口部から箱体に挿入されるプラスチックフィルム製の手提げ袋とから成る袋入容器において、箱体の天面に、開口部を取り囲む鍔板を側壁上端から内側へ向けて設け、隣接する側壁の稜部又は底角部に係止切込を形成し、箱体に挿入した手提げ袋を鍔板に巻き付けるように被せ、箱体の係止切込に手提げ袋の持ち手を引っ掛けるようにしたのである。
【発明の効果】
【０００７】
このような袋入容器は、箱体の天面に開口部を取り囲む鍔板を設けていることから、箱体が倒れても、内容物が鍔板でせき止められて飛び出しにくいので、ゴミ箱としてだけでなく、切花輸送用の保水容器等、液体を入れる容器として使用することもできる。
【０００８】
また、鍔板が手提げ袋で覆われ、箱体の開口縁と手提げ袋の間に隙間が生じないので、ゴミ箱として使用する場合、箱体の側壁と手提げ袋の間にゴミが嵌まり込んだり、箱体の上部が汚れたりすることもなく、長期間にわたって、衛生状態を保つことができる。
【発明を実施するための最良の形態】
【０００９】
まず、この発明の第１実施形態を図１及び図２に基づいて説明する。
【００１０】
図１に示すように、この袋入容器の箱体Ａをなす段ボール製ブランクでは、底壁１の一側に側壁２、鍔板３及び継代片４が順次連設され、他側に側壁２が連設されている。底壁１、側壁２及び鍔板３の両端には、それぞれ側板５乃至７が連設され、これらは噛み合わせ可能な形状とされている。鍔板３には、周囲から間隔をおいて、コーナ部が丸みを帯びた開口部８が設けられている。
【００１１】
各側壁２とその両端に隣接する側板６の稜部には、その境界線を軸として対称に、谷部が底壁１側へ向かうＶ字状の係止切込９が形成され、係止切込９の両端に挟まれた山形の部分は、係止片９ａとされている。
【００１２】
このようなブランクを組み立てて袋入容器を形成するには、図２に示すように、底壁１から両側壁２を起立させ、継代片４を反対側の側壁２の内面に貼り付け、側板５乃至７を噛み合わせて、側壁２の両側に隣接する側壁１０を形成し、枡形の箱体Ａを完成させる。
【００１３】
そして、手提げ袋Ｂを開口部８から箱体Ａに挿入し、手提げ袋Ｂの開口側部分を鍔板３に巻き付けるように被せ、箱体Ａの四隅をなす側壁２の稜部のうち、いずれか一組の対角にある一組の係止切込９に、手提げ袋Ｂの両側の持ち手１１をそれぞれ引っ掛ける。
【００１４】
この状態において、手提げ袋Ｂの持ち手１１は、係止切込９に臨む係止片９ａに係合するので、係止切込９から抜けにくく、手提げ袋Ｂが箱体Ａから外れたり、ずれたりしにくくなっている。
【００１５】
次に、この発明の第２実施形態を図３乃至図７に基づいて説明する。
【００１６】
図３に示すように、この袋入容器の箱体Ａをなす段ボール製ブランクでは、底壁１の一側に側壁２、鍔板３及び継代片４が順次連設され、他側に側壁２が連設されている。底壁１、側壁２及び鍔板３の一端には、それぞれ側板５乃至７が連設され、これらは噛み合わせ可能な形状とされている。鍔板３には、周囲から間隔をおいて、コーナ部が丸みを帯びた開口部８が設けられている。
【００１７】
底壁１の対角部分には、係止切込９が入れられている。一方の角の係止切込９は、２方向に分割され、底壁１の開放端縁又は隣接する側壁２まで入れられて、片側に係止片９ｂを有し、他方の角の係止切込９は、隣接する側壁２及び側板５まで入れられて、中間部分が斜めに連続して切断され、その部分に臨んで外向きの係止片９ｃが設けられている。
【００１８】
このようなブランクを組み立てて袋入容器を形成するには、図４に示すように、底壁１から両側壁２を起立させ、継代片４を反対側の側壁２の内面に貼り付け、側板５乃至７を噛み合わせて、側壁２の一側に隣接する側壁１０を形成し、枡形の箱体Ａを完成させる。
【００１９】
そして、手提げ袋Ｂを開口部８から箱体Ａに挿入し、手提げ袋Ｂの開口側部分を鍔板３に巻き付けるように被せ、図５に示すように、箱体Ａの底角部の対角にある２箇所の係止切込９に、手提げ袋Ｂの両側の持ち手１１をそれぞれ引っ掛ける。
【００２０】
この状態において、手提げ袋Ｂの持ち手１１は、図６及び図７に示すように、係止切込９に臨む係止片９ｂ、９ｃにより、係止切込９から抜け止めされるので、手提げ袋Ｂが箱体Ａから外れたり、ずれたりしにくくなっている。
【００２１】
次に、この発明の第３実施形態を図８乃至図１０に基づいて説明する。
【００２２】
図８に示すように、この袋入容器の箱体Ａをなす段ボール製ブランクでは、底壁１の一側に側壁２、鍔板３及び継代片４が順次連設され、他側に側壁２が連設されている。底壁１、側壁２及び鍔板３の両端には、それぞれ側板５乃至７が連設され、これらは噛み合わせ可能な形状とされている。鍔板３には、周囲から間隔をおいて、コーナ部が丸みを帯びた開口部８が設けられている。
【００２３】
底壁１の四隅の対角部分には、係止切込９が入れられている。これらの係止切込９は、隣接する側壁２及び側板５まで入れられて、中間部分が斜めに連続して切断され、その部分に臨んで外向きの係止片９ｃが設けられている。
【００２４】
このようなブランクを組み立てて袋入容器を形成するには、図９に示すように、底壁１から両側壁２を起立させ、継代片４を反対側の側壁２の内面に貼り付け、側板５乃至７を噛み合わせて、側壁２の両側に隣接する側壁１０を形成し、枡形の箱体Ａを完成させる。
【００２５】
そして、手提げ袋Ｂを開口部８から箱体Ａに挿入し、手提げ袋Ｂの開口側部分を鍔板３に巻き付けるように被せ、図１０に示すように、箱体Ａの底角部のいずれか一組の対角にある２箇所の係止切込９に、手提げ袋Ｂの両側の持ち手１１をそれぞれ引っ掛ける。
【００２６】
この状態において、手提げ袋Ｂの持ち手１１は、係止切込９に臨む係止片９ｃにより、係止切込９から抜け止めされるので、手提げ袋Ｂが箱体Ａから外れたり、ずれたりしにくくなっている。
【００２７】
上記各実施形態に示した袋入容器は、箱体Ａの天面に開口部８を取り囲む鍔板３を設けていることから、箱体Ａが倒れても、内容物が鍔板３でせき止められて飛び出しにくいので、ゴミ箱としてだけでなく、切花輸送用の保水容器等、液体を入れる容器として使用することもでき、その場合、振動による液体のこぼれを防止することができる。
【００２８】
また、鍔板３が手提げ袋Ｂで覆われ、箱体Ａの開口縁と手提げ袋Ｂの間に隙間が生じないので、ゴミ箱として使用する場合、箱体Ａの側壁２，１０と手提げ袋Ｂの間にゴミが嵌まり込んだり、箱体Ａの上部が汚れたりすることもなく、手提げ袋Ｂを交換するだけで、長期間にわたって、衛生状態を保つことができる。
【００２９】
また、手提げ袋Ｂとして、スーパー等の店頭で配布されるレジ袋を使用することができるので、コストがかからず、その交換も容易に行うことができ、レジ袋を有効に再利用することができる。
【図面の簡単な説明】
【００３０】
【図１】この発明の第１実施形態に係る袋入容器の箱体のブランクを示す図
【図２】同上の袋入容器の使用状態を示す上方斜視図
【図３】この発明の第２実施形態に係る袋入容器の箱体のブランクを示す図
【図４】同上の袋入容器の使用状態を示す上方斜視図
【図５】同上の袋入容器の使用状態を示す下方斜視図
【図６】同上の一方の底角部の係止切込を示す拡大斜視図
【図７】同上の他方の底角部の係止切込を示す拡大斜視図
【図８】この発明の第３実施形態に係る袋入容器の箱体のブランクを示す図
【図９】同上の袋入容器の使用状態を示す上方斜視図
【図１０】同上の袋入容器の使用状態を示す下方斜視図
【符号の説明】
【００３１】
Ａ  箱体
Ｂ  手提げ袋
１  底壁
２  側壁
３  鍔板
４  継代片
５乃至７  側板
８  開口部
９  係止切込
９ａ，９ｂ，９ｃ  係止片
１０  側壁
１１  持ち手
【図１】
2006103753.tif 000003
【図２】
2006103753.tif 000004
【図３】
2006103753.tif 000005
【図４】
2006103753.tif 000006
【図５】
2006103753.tif 000007
【図６】
2006103753.tif 000008
【図７】
2006103753.tif 000009
【図８】
2006103753.tif 000010
【図９】
2006103753.tif 000011
【図１０】
2006103753.tif 000012